(57)【特許請求の範囲】
【請求項１】
押圧面が略水平となるように配置された遊技機用の押圧スイッチにおいて、
底部に周回状に立設した壁の内側に基板部が載置され、遊技機に固定されるとともに付勢部材を収納する筐体と、
前記壁の外側に位置し、前記押圧面を押圧する動作に応じて前記付勢部材の付勢力に抗して前記筐体内を移動する可動子とを備え、
前記筐体と前記可動子との間には押圧方向に通じる排水用溝が前記筐体および前記可動子の少なくとも一方に形成され、
前記筐体には前記排水用溝と前記筐体の外部とを連通させる排水口が少なくとも一つ形成されていることを特徴とする遊技機用の押圧スイッチ。
【請求項２】
前記基板部は、押圧方向と垂直な方向でコネクタを接続するコネクタ接続部を有し、
このコネクタ接続部に接続される配線を回避する位置に前記排水口が形成されていることを特徴とする請求項１に記載の遊技機用の押圧スイッチ。
【請求項３】
前記押圧面には別体のボタン部材が前記可動子に冠着されており、
このボタン部材と前記可動子との間にはシーリング手段が備えられていることを特徴とする請求項１または請求項２に記載の遊技機用の押圧スイッチ。
【請求項４】
前記筐体と前記遊技機との間にはシーリング手段が備えられていることを特徴とする請求項１ないし請求項３のいずれかに記載の遊技機用の押圧スイッチ。
【請求項５】
前記シーリング手段は、Ｏリングであることを特徴とする請求項３または請求項４に記載の遊技機用の押圧スイッチ。
【発明の詳細な説明】
【技術分野】
【０００１】
本発明は、遊技機に適用される防滴性押圧スイッチに関するものである。
【背景技術】
【０００２】
パチンコやパチスロ等に代表される遊技機では、遊技者が操作して遊技を実行する押圧スイッチが遊技機の操作パネル上に設けられている。この押圧スイッチは、賭け率を選択したり、回転しているリールを停止させたり、遊技玉（メダル）の補給・排出を行ったり、チャンススイッチと呼ばれる遊技の演出を多用化させたりする手段として適用されている。
【０００３】
また、このような遊技機に用いられる押圧スイッチは、光源を内臓させて押圧面を照光させることにより、多彩色を発光・点滅させて発光装飾を行ったり、遊技者に対し操作を示唆したりして、遊技機の趣向を凝らす工夫がなされているものもある。このため、押圧スイッチは、押圧操作をすることによって、前記した遊技機制御の切替ばかりでなく、照光をも制御している。これらの制御を確実に実現するために、遊技機用の押圧スイッチ内には、電子回路基板等が含まれる場合が多い（例えば、特許文献１参照）。
【特許文献１】特開２００６−３１１９７１号公報（図２、図５）
【発明の開示】
【発明が解決しようとする課題】
【０００４】
しかし、従来から採用されている押圧スイッチには、次のような問題があった。
押圧スイッチの押圧面を略水平に配置して遊技機に取り付ける場合、遊戯者が誤って飲料等の液体を押圧スイッチ上にこぼしたとき、この液体は押圧スイッチ構成部品間の僅かな隙間を通って、押圧スイッチ内に侵入する。侵入した液体が、前記した電子回路基板に到達すると、短絡等の不具合や作動不良を生じさせていた。また、電子回路基板から制御装置への配線が接続されるコネクタについても、押圧スイッチと押圧スイッチが取り付けられている遊戯台との隙間から液体が侵入すると、前記した電子回路基板と同様に短絡等の不具合や作動不良を生じさせていた。
【０００５】
本発明は、以上の問題点を解決することを目的としてなされたものであり、押圧スイッチ上に誤って液体をこぼした場合であっても、押圧スイッチ内に含まれる電子回路基板やコネクタを液滴から保護する構造を有する防滴性押圧スイッチを提供することを目的とする。
【課題を解決するための手段】
【０００６】
本発明は、前記した目的を達成するために創案されたものであり、請求項１に記載の遊技機用の押圧スイッチは、押圧面が略水平となるように配置された遊技機用の押圧スイッチにおいて、底部に周回状に立設した壁の内側に基板部が載置され、遊技機に固定されるとともに付勢部材を収納する筐体と、前記壁の外側に位置し、前記押圧面を押圧する動作に応じて前記付勢部材の付勢力に抗して前記筐体内を移動する可動子とを備え、前記筐体と前記可動子との間には押圧方向に通じる排水用溝が前記筐体および前記可動子の少なくとも一方に形成され、前記筐体には前記排水用溝と前記筐体の外部とを連通させる排水口が少なくとも一つ形成されていることを特徴とする。
【０００７】
かかる構成によれば、押圧スイッチの内部に侵入した液体は、積極的に通水路となるように構成された筐体と可動子との間の排水用溝を通り、さらにこの排水用溝と連通した筐体の排水口から押圧スイッチの外部へ排出することができる。このため、侵入した液体は、押圧スイッチ内部に滞留することはなく、押圧スイッチ内部の電子回路基板（基板部）を液滴から保護することができる。また、前記した通水路から漏れた液滴があり、この液滴が可動子の周囲から落下した場合であっても、電子回路基板の周縁を囲う壁により、基板側へ液体は侵入せず、電子回路基板を液滴から保護することができる。
【０００９】
さらに、本発明は、前記の技術的特徴に加えて、電子回路基板が、押圧方向と垂直な方向でコネクタを接続するコネクタ接続部を有するとき、このコネクタ接続部に接続される配線を回避する位置に排水口が形成されることが好ましい。
かかる構成によれば、排水用溝および排水口がコネクタを回避するように配置されることで、コネクタへの液体の侵入を防止することができる。
【００１０】
さらに、本発明は、前記の技術的特徴に加えて、押圧面となるボタン部材と前記可動子との間および筐体と遊技機との間にシーリング手段を備えることができる。ここで、シーリング手段としては、Ｏ−リングやシーリングコンパウンド等を使用することができる。
かかる構成によれば、毛細管現象等によって部材間の取付面に存在する微小な間隙に侵入する液体を封止することができ、押圧スイッチ内部の電子回路基板を保護することができる。
【発明の効果】
【００１１】
本発明によれば、押圧スイッチ上に誤って液体をこぼした場合であっても、この液体が押圧スイッチ内に含まれる電子回路基板やコネクタに滴下することを防止する構造を有する防滴性押圧スイッチを得ることができる。
【発明を実施するための最良の形態】
【００１２】
以下本発明の実施の形態について図面を参照しつつ説明する。
（第１実施形態）
図１から図４を参照して本発明の第１実施形態に係る遊技機用の押圧スイッチについて説明する。
図１は、本発明に係る遊技機用の押圧スイッチ２０が適用される遊技機１０として例示するパチンコ機の操作パネル１３の部分を拡大して示す斜視図である。
パチンコ機は、遊技者の視覚により認識される表示パネル１２（詳細図示せず）と、遊技者が操作する操作パネル１３とが支持枠１１により保持されて構成されている。そして、パチンコ機は、遊技者が操作する打球レバー１５の回転角に依存して初速度が可変する鋼鉄玉を下方から弾き上げ、表示パネル１２（詳細図示せず）に設けられている障害釘を抜けて所定の穴に落ちると所定量の玉を獲得するものである。
【００１３】
このようにして獲得した玉は、回収皿１４に一旦回収され、打球レバー１５の操作により再び弾き出される。このような動作が繰り返されることにより、獲得した玉数と消費した玉数の差分が、逐次、回収皿１４に蓄積されていくことになる。そして、この回収皿１４の所定の容量を超えたところで、超過分の出球が貯留皿１６に自動的に配送される機構となっている。
【００１４】
押圧スイッチ２０ａは、出球の回収皿１４から貯留皿１６への配送を、遊技者が自発的に実行するための操作スイッチである。
押圧スイッチ２０ｂは、このようにして配送されて貯留皿１６に貯留した出球を外部（図示略の箱）に向けて排出させる操作スイッチである。
押圧スイッチ２０ｃは、いわゆるチャンススイッチと呼ばれ、遊技の演出を多様化さるための操作スイッチである。
これら押圧スイッチ２０（２０ａ，２０ｂ，２０ｃ）は、遊技者に押圧されることにより所定の操作を実行する。
【００１５】
前記のようにいわゆるチャンススイッチと呼ばれる本実施形態に係る押圧スイッチ２０ｃは、遊技機の多様な制御を行う信号を送るとともに、照光のための発光体を備えることが多い。そのため、内部に電子回路基板が配置されることが多い。
【００１６】
図２は、押圧スイッチ２０ｃが、操作パネル１３（図１参照）に装着された状態を示す斜視図であり、説明のため操作パネル１３および押圧スイッチ２０ｃの一部の断面を表している。図３は、押圧スイッチ２０ｃを組み立てる前の状態を表す斜視図であり、押圧スイッチ２０ｃの各構成部品を表している。
【００１７】
図２に示されるように押圧スイッチ２０ｃは、操作パネル凹部１３ａに配され、その外観において、押圧面２１と、筐体２２とをのぞむことができる。このように構成される押圧スイッチ２０ｃは、遊技者が押圧面２１を押圧状態又は無押圧状態に切り替えるのに対応させて、遊技機１０（図１参照）に所定の操作を与えるものである。
筐体２２は、後記する各種構成部品（図３参照）をその内部に収容するとともに、操作パネル凹部１３ａに穿孔された固定孔１９に挿入され、遊技機１０（図１参照）に組み込まれた状態では鍔部位２８を除いてその外観を目視することができない部分である。
鍔部位２８は、押圧面２１の外周を囲む位置に、筐体２２の縁端から延出するようにして設けられている。このように構成されることにより、押圧スイッチ２０ｃは、押圧面２１と鍔部位２８のみを露出させて操作パネル１３（図１参照）に嵌め込まれる。
【００１８】
そして、図３に示されるように、押圧スイッチ２０ｃは、押圧面２１を有するボタン部４１と、押圧スイッチ２０ｃの外郭となるケース４３と、このケース４３の下端に取り付けられ、断面視コの字状であり略円筒状の開口容器となる筐体２２（図２参照）をケース４３とで構成するカバー４４と、カバー４４によって下方への移動を規制され、上方に付勢力を付与するバネ３１（付勢手段）と、バネ３１の上端に配置され、前記したボタン部４１を上面に冠着し、押圧面２１を押圧する動作に応じてバネ３１の付勢力に抗して移動する可動子２３と、カバー４４の底部に載置され、可動子２３の動作をスイッチ動作に変換するためのスイッチ機能やスイッチ信号を電子信号に変換する基板２４（電子回路基板）と、を備えている。基板２４の裏面にはコネクタ接続部２５が備えられている。また、照光機能としては、ボタン部４１と可動子２３との間に発光色を調整するフィルター４２と、基板２４上に発光ダイオード等の発光体（図示せず）と、可動子２３内に押圧面２１に向かって頂点から末広がりに広がる反射面２７を備えている。
【００１９】
コネクタ接続部２５は、筐体２２から押圧方向に直交する方向に開口して設けられ、遊技機１０（図１参照）の本体内部又は押圧スイッチ２０ｃの制御器（図示せず）から延びる配線（図示せず）の先端に設けられているコネクタ（図示せず）と接続するものである。このように構成されるコネクタ接続部２５は、押圧スイッチ２０ｃが照光するのに必要な電力の供給や、押圧状態又は無押圧状態を識別する信号を出力するものである。
【００２０】
このように押圧スイッチ２０ｃが構成されることにより、遊技機１０の組み立て時において、操作パネル１３（図１参照）に対し、押圧スイッチ２０ｃを遊技機１０の外側から垂直方向に挿入することにより取り付けることができる。
【００２１】
図４は、本実施形態に係る押圧スイッチ２０ｃの防滴機能を説明する分解斜視図であり、（ａ）、（ｂ）、（ｃ）は、液体の浸入から排出されるまでの過程を表し、（ｄ）は、異なる角度から防滴機能を眺めたものである。以下、液体Ｌの流れに従って、構成を説明する。
【００２２】
例えば、図４（ａ）に示すように、遊戯者が押圧スイッチ２０ｃ上に飲料等をこぼすと、液体Ｌがケース４３と可動子２３（図３参照）との間から押圧スイッチ２０ｃの内部へ侵入する。可動子２３は、押圧面２１が押圧されたときにケース４３に対して上下に移動しなければならないため、両者の間には隙間が必要だからである。
侵入した液体Ｌは、可動子２３の周囲に備えられた排水用溝である周スリット３０ａを通り、後記する縦スリット３０ｂの入り口に集められる。
本実施形態における周スリット３０ａは、可動子２３（図３参照）の周囲に形成されているが、ケース４３側（図２参照）にスリットを形成することもできる。
【００２３】
次に、図４（ｂ）に示すように、液体Ｌは、可動子２３（図３参照）の周上に５箇所形成された押圧方向の溝である縦スリット３０ｂ内を落下する。
液体Ｌの流れがこのように規制されることにより、基板２４に液滴が落下することを防止することができる。
なお、本実施形態における縦スリット３０ｂは、５箇所形成しているが、この個数に限定されないことは言うまでもない。
【００２４】
次に、図４（ｃ）に示すように、縦スリット３０ｂを落下した液体Ｌは、筐体２２（図２参照）の下面を構成しているカバー４４（図３参照）に到達し、カバー４４の底部の周縁に３箇所形成（図４（ｃ）では、２箇所のみ表示）され、縦スリット３０ｂと連通した排水口３０ｃから、押圧スイッチ２０ｃの外部へ排出される。
このように、本実施形態は、基板２４が載置されているケース４３の底部を回避する方向に液体Ｌを流す規制がされるとともに、押圧スイッチ２０ｃ内に液体Ｌが滞留して基板２４を濡らすことを防止している。
なお、本実施形態における排出口３０ｃは、３箇所形成しているが、この個数に限定されないことは言うまでもない。
【００２５】
なお、本実施形態において、コネクタ接続部２５は、前記したように基板２４の裏面（図３参照）に備えられている。そして、外観上、図４（ｄ）に示すように、排出口３０ｃと同様なカバー４４の底部近傍の外周上に筐体２２（図２参照）の中心に向けて形成された凹部の一つを利用して、その凹部の奥に接続面を露出させており、この接続面に押圧方向と直交する向きでコネクタ（図示せず）が接続されている。そして、前記した排水用溝である周スリット３０ａ、縦スリット３０ｂおよび排出口３０ｃが、コネクタ接続部２５を回避する位置で連通する水路を形成することにより、液体Ｌがコネクタ接続部２５へ侵入することを防止している。
【００２６】
本実施形態ではこのようにコネクタ接続の向きを操作パネル凹部１３ａがある面と同じ方向とすることで、押圧スイッチ２０ｃは、操作パネル凹部１３ａがある薄い面にも設置できるようにしている。
【００２７】
（第２実施形態）
本発明の第２実施形態について図面を参照して説明する。なお、第１実施形態と重複する部分の説明については割愛し、本実施形態の技術的特徴を中心に説明する。
図５は、押圧スイッチ２０ｃの斜視断面図である。本実施形態では、図５に示すようにカバー４４の底部に載置された基板２４の周縁を囲う壁Ｆが立設され、この壁Ｆの外周は可動子２３の内側に位置している。
【００２８】
前記した図４において説明したように、押圧スイッチ２０ｃ内に侵入した液体Ｌの大部分は、周スリット３０ａ、縦スリット３０ｂおよび排出口３０ｃを通過して、押圧スイッチ２０ｃ外へ排出される。しかし、液体Ｌの流量と流路の排水能力との関係、粘性、ぬれ性や毛細管現象によって、予め備えられた流路以外へ液体Ｌが回り込む場合がある。回り込んだ液体Ｌは、可動子２３に形成されている突起、角部および端面等で下に向いているものに滞留すると、押圧動作に伴う振動や液体Ｌの自重によって落下する。基板２４上に液体Ｌが落下すると短絡等の不具合が生じるおそれがある。
【００２９】
しかしながら、本実施形態のように、基板２４の周縁を囲う壁Ｆがあると、回り込んだ液体Ｌの液滴が可動子２３から下方に落下したとしても、壁Ｆが可動子２３の内側に位置していることから、液滴は壁Ｆの外側に滴下し、基板２４に直接落下することを防止することができる。また、排水しきれずにカバー内に液体Ｌが溜まった場合であっても、溜まった液体Ｌは壁Ｆを越えることができず、基板２４が液体Ｌに浸されることを防止できる。
【００３０】
（第３実施形態）
本発明の第３実施形態について図面を参照して説明する。なお、第１実施形態と重複する部分の説明については割愛し、本実施形態の技術的特徴を中心に説明する。
図６は、ボタン部４１が可動子２３に冠着された部分について拡大した斜視断面図であり、その他の部品については省略している。ここで（ａ）は、Ｏ−リングの装着を表した分解断面図であり、（ｂ）はＯ−リングを装着した状態における拡大断面図である。
【００３１】
本実施形態では、図６（ａ），（ｂ）に示すようにボタン部４１が冠着される可動子２３の周接面に周状の溝Ｓ１を形成し、ここにシーリング手段としてＯ−リングＯＬ１を嵌着している。
液体Ｌの粘性、ぬれ性や毛細管現象等によって、ボタン部４１と可動子２３との間隙に侵入した液体Ｌは、Ｏ−リングＯＬ１により堰止され、液体Ｌが内部に侵入して反射面２７を伝って、基板２４（図３参照）に滴下することを防止している。
【００３２】
（第４実施形態）
本発明の第４実施形態について図面を参照して説明する。なお、第１実施形態と重複する部分の説明については割愛し、本実施形態の技術的特徴を中心に説明する。
図７は、押圧スイッチ２０ｃが、押圧面２１のみ露出させて操作パネル１３に嵌め込まれたときの、ケース４３と操作パネル１３との嵌合部分の拡大断面図であり、その他の部品については省略している。
【００３３】
本実施形態では、図７に示すようにケース４３の鍔部位２８の下面と当接する操作パネル１３の周面上にシーリング手段としてＯ−リングＯＬ２を載置している。
液体Ｌの粘性、ぬれ性や毛細管現象によって、操作パネル１３（図１参照）とケース４３との間隙に侵入した液体ＬはＯ−リングＯＬ２により堰止され、液体Ｌが内部に侵入して反射面２７を伝って、基板２４（図３参照）に滴下することを防止している。
なお、本実施形態では、シーリング手段としてＯ−リングを適用しているが、他のシーリング手段、例えばシーリングコンパウンド等を適用することもできる。
【００３４】
以上説明した実施形態は本発明を説明するための一例であり、本発明は前記した実施形態に限定されるものでなく、発明の要旨の範囲内で種々の変形が可能である。
例えば、前記した実施形態では、押圧面に丸ボタンを適用しているが、楕円や三角形、四角形などのボタン形状も当然適用することが可能である。さらに、前記した実施形態における押圧スイッチは押圧面となるボタンを一つ有するものであるが、一つの筐体内に、電子回路基板が一つで複数のボタンを有するものや、複数のボタンそれぞれに電子回路基板を有するものにも当然適用することが可能である。
【図面の簡単な説明】
【００３５】
【図１】本発明に係る遊技機用の押圧スイッチが適用される遊技機として例示するパチンコ機の操作パネルの部分を拡大して示す斜視図である。
【図２】押圧スイッチが、操作パネルに装着された状態を示す斜視図である。
【図３】押圧スイッチを組み立てる前の状態を表す斜視図である。
【図４】本発明の第１実施形態に係る押圧スイッチの防滴機能を説明する分解斜視図であり、（ａ）、（ｂ）、（ｃ）、（ｄ）は、水分の浸入から排出されるまでの過程を表している。
【図５】本発明の第２実施形態に係る押圧スイッチの斜視断面図である。
【図６】本発明の第３実施形態に係るボタン部が可動子に冠着された部分について拡大した斜視断面図であり、（ａ）は、Ｏ−リングの装着を表した分解断面図であり、（ｂ）はＯ−リングを装着した状態における拡大断面図である。
【図７】本発明の第３実施形態に係る押圧スイッチが、押圧面のみ露出させて操作パネルに嵌め込まれたときの、ケースと操作パネルとの嵌合部分の拡大断面図である。
【符号の説明】
【００３６】
１０    遊技機
１１    支持枠
１２    表示パネル
１３    操作パネル
１３ａ  操作パネル凹部
１４    回収皿
１５    打球レバー
１６    貯留皿
１９    固定穴
２０，２０ａ，２０ｂ，２０ｃ  照光式押圧スイッチ
２１    押圧面
２２    筐体
２３    可動子
２４    基板
２５    コネクタ接続部
２７    反射面
２８    鍔部位
３０ａ  周スリット
３０ｂ  縦スリット
３０ｃ  排出口
３１    バネ
４１    ボタン部
４２    フィルター
４３    ケース
４４    カバー
Ｆ      壁
Ｌ      液体
ＯＬ１，ＯＬ２  Ｏ−リング
Ｓ１    溝
【図１】
0005209914.tif 000002
【図２】
0005209914.tif 000003
【図３】
0005209914.tif 000004
【図４】
0005209914.tif 000005
【図５】
0005209914.tif 000006
【図６】
0005209914.tif 000007
【図７】
0005209914.tif 000008